(57)【特許請求の範囲】
【請求項１】
同一周波数を用いて放送内容を送信する地上波デジタル放送システムであって、複数の送信所の送信装置と、前記各送信所のエリア内で当該送信所の送信装置からの送信電波を受信する受信機とを備え、前記受信機が前記エリア以外のエリアの送信所の送信装置からも送信電波を受信する場合の受信エリア監視・制御方法において、
前記複数の送信所の送信装置は、各々異なる識別子を送信電波に付与又は付与せずに送信し、
前記各受信機は、受信した送信電波における識別子の有無を確認し、
前記受信機は、受信した送信電波に識別子有りを確認した場合に、当該識別子により自エリアからの送信電波であるか若しくはそれ以外の他エリアからの送信電波であるかを認識し、前記自エリアからの送信電波を取得し、
前記受信機は、受信した送信電波に識別子無しを確認した場合に、送信電波を受信する時間により自エリアからの送信電波であるか若しくはそれ以外の他エリアからの送信電波であるかを認識し、前記自エリアからの送信電波を取得し、
前記受信機は、認識した他エリアからの送信電波の受信状況を前記他エリアの送信所の送信装置に一般公衆回線又は無線を用いて通知し、
前記送信装置は、前記通知された受信状況に従って他エリアへの送信電波を低減するようアンテナのチルド角制御若しくは送信電力の制御若しくはこれら両方を組み合わせた制御を行うことを特徴とする受信エリア監視・制御方法。
【請求項２】
同一周波数を用いて放送内容を送信する地上波デジタル放送システムであって、複数の送信所の送信装置と、前記各送信所のエリア内で当該送信所の送信装置からの送信電波を受信する受信機とを備え、前記受信機が前記エリア以外のエリアの送信所の送信装置からも送信電波を受信する放送システムにおいて、
前記送信所の送信装置は、送信所固有の識別子を送信電波に付与又は付与せずに送信する送信装置であり、
前記受信機は、受信した送信電波に付与された送信所固有の識別子から自エリアからの送信電波であるか若しくはそれ以外の他エリアからの送信電波であるかを認識し、前記自エリアからの送信電波を取得する第１の送信電波確認手段と、送信電波を受信する時間により自エリアからの送信電波であるか若しくはそれ以外の他エリアからの送信電波であるかを認識し、前記自エリアからの送信電波を取得する第２の送信電波確認手段と、認識した他エリアからの送信電波の受信状況を前記他エリアの送信所の送信装置に通知する受信状況通知手段とを備える受信機であり、
前記送信装置は、前記通知された受信状況に従って他エリアへの送信電波を低減するようアンテナのチルド角制御若しくは送信電力の制御若しくはこれら両方を組み合わせた制御を行うオーバーリーチ低減制御手段を備える送信装置であることを特徴とする放送システム。
【発明の詳細な説明】
【０００１】
【発明の属する技術分野】
本発明は、地上波デジタル信号による放送システムに係り、特に、多数エリアからの同一周波数にて信号を受信する場合に、他エリアからの送信電波のオーバーリーチによる干渉をなくし自エリアの送信電波のみを安定に受信することを実現する受信エリア監視・制御方法及び放送システムに関する。
【０００２】
【従来の技術】
従来の地上波デジタル放送システムについて図３を用いて説明する。図３は、従来の地上波デジタル放送システムの一部を示す概略図である。
図３に示すように、従来の地上波デジタル放送システムの一部は、Ａ地区の送信所に設けられたＡ地区送信装置１と、Ｂ地区の送信所に設けられたＢ地区送信装置２と、Ａ地区送信装置１とＢ地区送信装置２との間を中継する中継器３と、Ａ地区受信地域に設けられた受信機４と、Ｂ地区受信地域に設けられた受信機５とから基本的に構成されている。
【０００３】
次に、上記システムにおける動作を説明する。
放送電波を受信したＡ地区送信装置１は、放送内容を中継器３に送信すると共に、Ａ地区受信地域内に設けられた一般視聴者の受信機４にも放送内容を送信する。
Ａ地区送信装置１から受信した電波を中継器３は中継増幅し、Ｂ地区送信装置２に向けて送信する。
中継器３から放送電波を受信したＢ地区送信装置２は、Ｂ地区受信地域内に設けられた一般視聴者の受信機５に放送内容を送信する。
【０００４】
尚、デジタル放送に関する従来技術として、平成７年（１９９５年）３月３１日公開の特開平７−８６９８１号公報「ディジタル信号伝送方法」（出願人：日本放送協会、発明者：加藤久和他）がある。
この技術は、伝送すべきアナログ信号を階層符号化手段により高速及び低速のディジタル信号に変換し、これら信号を高速な主要変調信号と低速なスペクトル拡散変調信号で送信し、受信側では両信号を受信ＣＮ比で制御される階層復号化手段により再生するものであり、マイクロ波帯において低いＣ／Ｎでも受信可能としている。
【０００５】
【発明が解決しようとする課題】
しかしながら、従来のデジタル放送システムでは、Ａ地区受信地域の受信機４は、Ａ地区送信装置１からの送信電波と共にＢ地区送信装置２からの送信電波も受信してしまうことがあり、また、Ｂ地区受信地域の受信機５についても同様な現象は発生することがあり、この現象を送信電波の「オーバーリーチ」と称し、本来受信するべき送信電波との干渉が発生してしまい、受信状態が不安定になるという問題点があった。
尚、このオーバーリーチの程度は、季節によりその程度か任意に変動することとなる。
【０００６】
本発明は上記実情に鑑みて為されたもので、送信電波のオーバーリーチによって発生するエリア内の送信電波の干渉をなくし、受信状態を安定化させることができる受信エリア監視・制御方法及び放送システムを提供することを目的とする。
【０００７】
【課題を解決するための手段】
上記従来例の問題点を解決するための本発明は、同一周波数を用いて放送内容を送信する地上波デジタル放送システムであって、複数の送信所の送信装置と、各送信所のエリア内で当該送信所の送信装置からの送信電波を受信する受信機とを備え、受信機が当該エリア以外のエリアの送信所の送信装置からも送信電波を受信する場合の受信エリア監視・制御方法において、複数の送信所の送信装置が、各々異なる識別子を送信電波に付与又は付与せずに送信し、各受信機が、受信した送信電波における識別子の有無を確認し、受信した送信電波に識別子有りを確認した場合に、当該識別子により自エリアからの送信電波であるか若しくはそれ以外の他エリアからの送信電波であるかを認識し、自エリアからの送信電波を取得し、受信した送信電波に識別子無しを確認した場合に、送信電波を受信する時間により自エリアからの送信電波であるか若しくはそれ以外の他エリアからの送信電波であるかを認識し、自エリアからの送信電波を取得し、認識した他エリアからの送信電波の受信状況を他エリアの送信所の送信装置に通知し、送信装置が、通知された受信状況に従って他エリアへの送信電波を低減するようアンテナのチルド角制御若しくは送信電力の制御若しくはこれら両方を組み合わせた制御を行うものであり、他エリアからの送信電波のオーバーリーチによる干渉をなくし、自エリアの送信電波のみを安定に受信できる。
【０００８】
また、本発明は、同一周波数を用いて放送内容を送信する地上波デジタル放送システムであって、複数の送信所の送信装置と、各送信所のエリア内で当該送信所の送信装置からの送信電波を受信する受信機とを備え、受信機が当該エリア以外のエリアの送信所の送信装置からも送信電波を受信する放送システムにおいて、送信所の送信装置が、送信所固有の識別子を送信電波に付与又は付与せずに送信する送信装置であり、受信機が、受信した送信電波に付与された送信所固有の識別子から自エリアからの送信電波であるか若しくはそれ以外の他エリアからの送信電波であるかを認識し、前記自エリアからの送信電波を取得する第１の送信電波確認手段と、送信電波を受信する時間により自エリアからの送信電波であるか若しくはそれ以外の他エリアからの送信電波であるかを認識し、前記自エリアからの送信電波を取得する第２の送信電波確認手段と、認識した他エリアからの送信電波の受信状況を前記他エリアの送信所の送信装置に通知する受信状況通知手段とを備える受信機であり、送信装置が、通知された受信状況に従って他エリアへの送信電波を低減するようアンテナのチルド角制御若しくは送信電力の制御若しくはこれら両方を組み合わせた制御を行うオーバーリーチ低減制御手段を備えるものであり、他エリアからの送信電波のオーバーリーチによる干渉をなくし、自エリアの送信電波のみを安定に受信できる。
【００１０】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００１１】
本発明の実施の形態に係る受信エリア監視・制御方法及び放送システムは、同一周波数を用いて放送内容を送信する地上波デジタル放送システムであって、複数の送信所の送信装置と、各送信所のエリア内で当該送信所の送信装置からの送信電波を受信する受信機とを備え、受信機が当該エリア以外のエリアの送信所の送信装置からも送信電波を受信する場合に、受信機が、送信所の送信装置から送信電波に付与されて送信された識別子（認識番号）から自エリアからの送信電波であるか若しくはそれ以外の他エリアからの送信電波であるかを認識し、自エリアからの送信電波を取得するものであり、他エリアからの送信電波のオーバーリーチによる干渉をなくし、自エリアの送信電波のみを安定に受信できるものである。
ここで、識別子（認識番号）を用いて自他エリアからの送信電波を認識する処理は、後述する送信電波認識手段における第１の処理が相当している。
【００１２】
また、本発明の実施の形態に係る受信エリア監視・制御方法及び放送システムは、同一周波数を用いて放送内容を送信する地上波デジタル放送システムであって、複数の送信所の送信装置と、各送信所のエリア内で当該送信所の送信装置からの送信電波を受信する受信機とを備え、受信機が当該エリア以外のエリアの送信所の送信装置からも送信電波を受信する場合に、受信機が、送信電波を受信する遅延時間により自エリアからの送信電波であるか若しくはそれ以外の他エリアからの送信電波であるかを認識し、自エリアからの送信電波を取得するものであり、他エリアからの送信電波のオーバーリーチによる干渉をなくし、自エリアの送信電波のみを安定に受信できるものである。
ここで、遅延時間を用いて自他エリアからの送信電波を認識する処理は、後述する送信電波認識手段における第２の処理が相当している。
【００１３】
また、本発明の実施の形態に係る受信エリア監視・制御方法及び放送システムは、上記発明において、受信機が、他エリアからの送信電波の受信状況を当該他エリアの送信所の送信装置に通知し、送信装置は通知された受信状況に応じて他エリアへの送信電波を低減するようアンテナのチルド角制御、送信電力の制御、又はこれら両方を組み合わせた制御を行うものであり、他エリアの送信装置のアンテナ等を制御することにより他エリアからの送信電波のオーバーリーチによる干渉をなくし、自エリアの送信電波のみを安定に受信できるものである。
【００１４】
ここで、他エリアからの送信電波の受信状況を通知するのは、後述するように、受信機における受信状況通知手段にて処理され、受信状況の通知に従ってアンテナ等を制御するのは、送信装置におけるオーバーリーチ低減制御手段にて制御される。
【００１５】
本発明の実施の形態に係る地上波デジタル放送システムについて図１を用いて説明する。図１は、本発明の実施の形態に係る地上波デジタル放送システムのの一部を示す概略図である。尚、図３と同様の構成をとる部分については同一の符号を付して説明している。
本実施の形態に係る地上波デジタル放送システムの一部（本システム）は、図１に示すように、Ａ地区の送信所に設けられたＡ地区送信装置１と、Ｂ地区の送信所に設けられたＢ地区送信装置２と、Ａ地区送信装置１とＢ地区送信装置２との間を中継する中継器３と、Ａ地区受信地域に設けられた一般視聴者用の受信機４と、Ｂ地区受信地域に設けられた一般視聴者用の受信機５とから基本的に構成されている。
【００１６】
上記本システムにおける各部の基本的機能及び動作は、図３に示した各部と同様のものとなっている。従って、相違する点を詳しく説明する。
Ａ地区送信所の送信装置１は、放送電波に当該送信所の認識番号０１を付与して送信する。
Ｂ地区送信所の送信装置２は、放送電波に当該送信所の認識番号０２を付与して送信する。
【００１７】
受信機４，５は、送信電波のオーバーリーチを監視するために自エリアの送信電波認識処理を行う送信電波認識手段と、認識した他エリアからの送信電波の受信状況を他エリアの送信装置に通知する受信状況通知処理を行う受信状況通知手段とを備えている。
【００１８】
送信電波認識手段は、第１の処理と第２の処理との何れかにより実現される。送信電波認識手段における第１の処理は、送信装置１，２から送信された放送電波に付与された送信所の認識番号０１，０２を受信の際に取得し、その認識番号（送信所番号）によって自エリアの送信電波と他エリアの送信電波とを認識し、自エリアの送信電波のみを選択して取得する。
【００１９】
具体的には、Ａ地区受信地域の受信機４は、Ａ地区送信所の送信装置１から認識番号０１が付与された送信電波を受信すると共にＢ地区送信所の送信装置２から認識番号０２が付与された送信電波を受信する。そして、受信機４には、予め自エリアの送信電波の認識番号は「０１」と設定されており、認識番号０１の送信電波を認識し、選択して内部に取り込む。
【００２０】
また、Ｂ地区受信地域の受信機５は、Ａ地区送信所の送信装置１から認識番号０１が付与された送信電波を受信すると共にＢ地区送信所の送信装置２から認識番号０２が付与された送信電波を受信する。そして、受信機５には、予め自エリアの送信電波の認識番号は「０２」と設定されており、認識番号０２の送信電波を認識し、選択して内部に取り込む。
【００２１】
送信電波認識手段における第２の処理は、送信所の送信装置から送信所番号を付与することができない地域等で実施するものであり、受信する電波の遅延時間を利用して自エリアの送信電波と他エリアの送信電波とを認識するものである。
【００２２】
例えば、Ａ地区受信地域の受信機４は、Ａ地区送信所の送信装置１から時間的には先にＡ地区受信地域用の送信電波を受信し、その後にＢ地区送信所の送信装置２から遅延してＢ地区受信地域用の送信電波を受信することになる。
【００２３】
従って、Ａ地区受信地域の受信機４は、最初（遅延時間ゼロ）に受信した送信電波を自エリアの送信電波と認識し、Ｂ地区受信地域の受信機５は、その後（遅延時間Ｔ）に受信した送信電波を自エリアの送信電波と認識するものである。
【００２４】
つまり、角地区受信地域内の受信機は、予め自エリアの送信電波を受信するタイミングを最初の送信電波を受信してから経過する遅延時間（遅延時間ゼロも含む）で設定されており、当該遅延時間に一致した時に受信した送信電波を自エリアの送信電波とするものである。
【００２５】
尚、送信電波認識手段の第１，２の処理では、自エリアの送信電波を認識すると共に、結果として他エリアからの送信電波の受信状況も認識することになる。
【００２６】
次に、受信状況通知手段は、上記送信電波認識手段の第１，２の処理で認識した他エリアからの送信電波の受信状況を他エリアの送信所の送信装置に通知する手段である。
図１の例では、有線の一般公衆回線等を使用して受信状況を通知しているが、無線装置を用いて無線にて通知するようにしても構わない。
【００２７】
具体的には、Ａ地区受信地域内の受信機４は、Ｂ地区送信所の送信装置２にＢ地区のエリアからの送信電波の受信状況に関するデータ（受信レポート）を通知している。
また、Ｂ地区受信地域内の受信機５は、Ａ地区送信所の送信装置１にＡ地区のエリアからの送信電波の受信状況に関するデータ（受信レポート）を通知している。
【００２８】
更に、上記受信レポートを受けた送信所の送信装置は、オーバーリーチ低減制御を行う。
送信装置におけるオーバーリーチ低減制御を図２を用いて説明する。図２は、本発明の実施の形態に係るオーバーリーチ低減制御を説明するための概略図である。
図２に示すように、Ｂ地区送信所の送信装置２は、Ｂ地区受信地域内の受信機５に向けて送信電波を出力している。また、Ａ地区受信地域内の受信機４はＢ地区送信所の送信装置２から受信した送信電波の受信状況を受信レポートとして一般公衆回線等を利用して送信装置２に出力する。
【００２９】
Ａ地区受信地域内の受信機４から入力された受信レポートに従って、Ｂ地区送信所の送信装置２内のオーバーリーチ低減制御手段がオーバーリーチ低減のための制御処理を行う。
この制御処理とは、アンテナのチルド角を制御したり、送信電力を制御したりするものである。従って、オーバーリーチ低減制御手段は、アンテナのチルド角を制御・調整する手段であり、送信電力を制御する手段である。
【００３０】
これにより、他エリアからの送信電波のオーバーリーチによる自エリアの送信電波との干渉をなくし、各地区の受信地域内の受信機において安定した電波を受信することが可能となった。
【００３１】
上記本システムにおいて、本発明の実施の形態に係る受信エリア監視・制御方法は、各地区受信地域内の受信機が送信所番号又は遅延時間により自エリアの送信電波と他エリアの送信電波とを認識して、自エリアの送信電波を取得すると共に、他エリアの送信電波の受信状況を当該他エリアの送信装置に通知して、その送信装置でオーバーリーチ低減制御を行うものであり、これにより、送信電波のオーバーリーチによって発生するエリア内の送信電波の干渉をなくし、受信状態を安定化させることができる。
【００３２】
本発明の実施の形態に係る受信エリア監視・制御方法及び放送システムによれば、各地区受信地域内の受信機で、各地区送信所の送信装置から送信電波に付与された送信所番号又は送信電波の受信タイミングの遅延時間を基に、自他エリアの送信電波を認識して、自エリアの送信電波を取得するようにしているので、エリア内の送信電波の干渉をなくすことができる効果がある。
【００３３】
また、本発明の実施の形態に係る受信エリア監視・制御方法及び放送システムによれば、各地区受信地域内の受信機で認識した他エリアの送信電波の受信状況を受信レポートとして当該他エリアの送信装置に通知し、その受信レポートに従って送信装置がオーバーリーチ低減制御を行うようにしているので、他エリアの送信装置におけるアンテナ等を制御して他エリアからの送信電波のオーバーリーチによる干渉をなくすようにし、受信状態を更に安定化させることができる効果がある。
【００３４】
【発明の効果】
本発明によれば、同一周波数を用いて放送内容を送信する地上波デジタル放送システムであって、複数の送信所の送信装置と、各送信所のエリア内で当該送信所の送信装置からの送信電波を受信する受信機とを備え、受信機が当該エリア以外のエリアの送信所の送信装置からも送信電波を受信する場合の受信エリア監視・制御方法において、複数の送信所の送信装置が、各々異なる識別子を送信電波に付与又は付与せずに送信し、各受信機が、受信した送信電波における識別子の有無を確認し、受信した送信電波に識別子有りを確認した場合に、当該識別子により自エリアからの送信電波であるか若しくはそれ以外の他エリアからの送信電波であるかを認識し、自エリアからの送信電波を取得し、受信した送信電波に識別子無しを確認した場合に、送信電波を受信する時間により自エリアからの送信電波であるか若しくはそれ以外の他エリアからの送信電波であるかを認識し、自エリアからの送信電波を取得し、認識した他エリアからの送信電波の受信状況を他エリアの送信所の送信装置に通知し、送信装置が、通知された受信状況に従って他エリアへの送信電波を低減するようアンテナのチルド角制御若しくは送信電力の制御若しくはこれら両方を組み合わせた制御を行うものとしているので、他エリアからの送信電波のオーバーリーチによる干渉をなくし、自エリアの送信電波のみを安定に受信できる効果がある。
【００３５】
また、本発明によれば、同一周波数を用いて放送内容を送信する地上波デジタル放送システムであって、複数の送信所の送信装置と、各送信所のエリア内で当該送信所の送信装置からの送信電波を受信する受信機とを備え、受信機が当該エリア以外のエリアの送信所の送信装置からも送信電波を受信する放送システムにおいて、送信所の送信装置が、送信所固有の識別子を送信電波に付与又は付与せずに送信する送信装置であり、受信機が、受信した送信電波に付与された送信所固有の識別子から自エリアからの送信電波であるか若しくはそれ以外の他エリアからの送信電波であるかを認識し、前記自エリアからの送信電波を取得する第１の送信電波確認手段と、送信電波を受信する時間により自エリアからの送信電波であるか若しくはそれ以外の他エリアからの送信電波であるかを認識し、前記自エリアからの送信電波を取得する第２の送信電波確認手段と、認識した他エリアからの送信電波の受信状況を前記他エリアの送信所の送信装置に通知する受信状況通知手段とを備える受信機であり、送信装置が、通知された受信状況に従って他エリアへの送信電波を低減するようアンテナのチルド角制御若しくは送信電力の制御若しくはこれら両方を組み合わせた制御を行うオーバーリーチ低減制御手段を備えるものとしているので、他エリアからの送信電波のオーバーリーチによる干渉をなくし、自エリアの送信電波のみを安定に受信できる効果がある。
【図面の簡単な説明】
【図１】本発明の実施の形態に係る地上波デジタル放送システムのの一部を示す概略図である。
【図２】本発明の実施の形態に係るオーバーリーチ低減制御を説明するための概略図である。
【図３】従来の地上波デジタル放送システムの一部を示す概略図である。
【符号の説明】
１…Ａ地区送信所の送信装置、  ２…Ｂ地区送信所の送信装置、  ３…中継器、  ４…Ａ地区受信地域の受信機、  ５…Ｂ地区受信地域の受信機
【図１】
0004371339.tif 000002
【図２】
0004371339.tif 000003
【図３】
0004371339.tif 000004